(57)【要約】      （修正有）【課題】より安価で、かつ、組み立てが容易な安全柵を提供する。【解決手段】設備の周囲を覆うための安全柵であって、床面に支持される縦支柱と、縦支柱の側面に端部が固定される横桟１０２ａ及び１０２ｂとを備え、縦支柱と横桟とは、金属製の板材を折り曲げたものであり、横桟の内部には、タップ部材４０１ａ及び４０１ｂが挿入され、タップ部材は、縦支柱と横桟とを固定するためのタップ穴を有し、断面がコの字状であり、先端側の間隔が横桟の内面よりも広がっていることで、横桟の内部に挿入されたときに自己の弾性により、前記横桟の内面に押し当てられる。【選択図】図２
2010007392.tif 000002
【特許請求の範囲】
【請求項１】
設備の周囲を覆うための安全柵であって、
床面に支持される縦支柱と、
前記縦支柱の側面に端部が固定される横桟とを備え、
前記縦支柱及び前記横桟は、金属製の板材を折り曲げたものであり、
前記縦支柱又は前記横桟の内部には、タップ部材が挿入され、
前記タップ部材は、前記縦支柱と前記横桟とを固定するためのタップ穴を有し、断面がコの字状であり、先端側の間隔が前記縦支柱又は前記横桟の内面よりも広がっていることで、前記縦支柱又は前記横桟の内部に挿入されたときに自己の弾性により前記縦支柱又は前記横桟の内面に押し当てられる
ことを特徴とする安全柵。
【請求項２】
前記タップ部材は、前記横桟の端部に挿入され、
前記安全柵はさらに、前記縦支柱に前記横桟を取り付けるための横桟取り付け部材を備え、
前記横桟取り付け部材は、前記縦支柱とはリベットで固定されており、前記横桟とは当該横桟取り付け部材及び前記横桟の側面を貫通して前記タップ部材の第１のタップ穴に至るネジによって固定される
ことを特徴とする請求項１記載の安全柵。
【請求項３】
前記安全柵は、２本の前記縦支柱と、前記２本の縦支柱の間に渡される２本の前記横桟とを備え、
前記安全柵はさらに、前記２本の横桟同士の位置関係を固定するための横桟固定部材を備え、
前記横桟固定部材は、前記２本の横桟の向かい合う側面の端部と前記縦支柱の側面とに接するコの字状に曲げられた板部材であり、前記２本の横桟とは当該横桟固定部材及び前記横桟の側面を貫通して前記タップ部材の第２のタップ穴に至るネジによって固定されている
ことを特徴とする請求項２記載の安全柵。
【請求項４】
前記安全柵はさらに、前記２本の横桟の間に渡される縦桟を備え、
前記２本の横桟の向かい合う側面には穴が設けられ、前記穴には、つばと凹部とを有するつば部材が嵌め込まれ、
前記縦桟は、前記２本の横桟の側面に嵌め込まれたつば部材の凹部に挿入されている
ことを特徴とする請求項３記載の安全柵。
【請求項５】
設備の周囲を覆うための安全柵ユニットであって、
床面に支持される２本の縦支柱と、
前記縦支柱の側面に端部が固定される２本の横桟とを備え、
前記縦支柱及び前記横桟は、金属製の板材を折り曲げたものであり、
前記縦支柱又は前記横桟の内部には、タップ部材が挿入され、
前記タップ部材は、前記縦支柱と前記横桟とを固定するためのタップ穴を有し、断面がコの字状であり、先端側の間隔が前記縦支柱又は前記横桟の内面よりも広がっていることで、前記縦支柱又は前記横桟の内部に挿入されたときに自己の弾性により前記縦支柱又は前記横桟の内面に押し当てられる
ことを特徴とする安全柵ユニット。
【発明の詳細な説明】
【技術分野】
【０００１】
本発明は、安全柵及び安全柵ユニットに関し、特に、むやみに人が立ち入るべきでない場所に人が立ち入ることを防止しようとして置設される安全柵、及び、様々な大きさの安全柵を構築する際の基本単位となる安全柵ユニットに関する。
【背景技術】
【０００２】
２本の縦支柱及び当該縦支柱同士の間に固定される横桟を備える従来の安全柵の例として、例えば、特許文献１及び２に開示されたものがある。これらの安全柵は、簡易かつ低コストで組み立てられるように工夫されている。
【特許文献１】特開平６−６６０５４号公報
【特許文献２】実開平５−５２１４３号公報
【発明の開示】
【発明が解決しようとする課題】
【０００３】
しかしながら、上記特許文献１に記載の安全柵は、組み立てが容易化されているものの、材料費が高価であるという問題がある。つまり、特許文献１に記載の安全柵は、横化粧枠内側面にリブを形成すべく、アルミプロファイル材の押し出し加工や、引き抜き加工といった製造工程が必要とされ、その加工費によって材料費が高価になるという問題がある。また、同様に、特許文献２に記載の安全柵も、横桟の長手方向に沿ってリブを形成するために、材料費が高価になるという問題がある。
【０００４】
そこで、本発明は上記の問題に鑑みてなされたものであって、より安価で、かつ、組み立てが容易な安全柵及び安全柵ユニットを提供することを目的とする。
【課題を解決するための手段】
【０００５】
上記課題を解決するために、本発明に係る安全柵は、設備の周囲を覆うための安全柵であって、床面に支持される縦支柱と、前記縦支柱の側面に端部が固定される横桟とを備え、前記縦支柱及び前記横桟は、金属製の板材を折り曲げたものであり、前記縦支柱又は前記横桟の内部には、タップ部材が挿入され、前記タップ部材は、前記縦支柱と前記横桟とを固定するためのタップ穴を有し、断面がコの字状であり、先端側の間隔が前記縦支柱又は前記横桟の内面よりも広がっていることで、前記縦支柱又は前記横桟の内部に挿入されたときに自己の弾性により前記縦支柱又は前記横桟の内面に押し当てられることを特徴とする。
【０００６】
また、本発明に係る安全柵ユニットは、設備の周囲を覆うための安全柵ユニットであって、床面に支持される２本の縦支柱と、前記縦支柱の側面に端部が固定される２本の横桟とを備え、前記縦支柱及び前記横桟は、金属製の板材を折り曲げたものであり、前記縦支柱又は前記横桟の内部には、タップ部材が挿入され、前記タップ部材は、前記縦支柱と前記横桟とを固定するためのタップ穴を有し、断面がコの字状であり、先端側の間隔が前記縦支柱又は前記横桟の内面よりも広がっていることで、前記縦支柱又は前記横桟の内部に挿入されたときに自己の弾性により前記縦支柱又は前記横桟の内面に押し当てられることを特徴とする。
【０００７】
これにより、縦支柱及び横桟については、金属製の板材を折り曲げて作製しておき、両者の固定については、タップ部材を用いることができるので、アルミプロファイル材の押し出し加工や、引き抜き加工といった製造工程が不要となり、低コストで、かつ、組み立てが容易な安全柵が提供される。
【発明の効果】
【０００８】
本発明によれば、アルミプロファイル材に代えて、例えば、普通鋼板ロールフォーミング材等の安価な板材を用いることができるとともに、タップ部材によって縦支柱と横桟とを固定することができ、従来よりも安価で、かつ、組み立てが容易な安全柵及び安全柵ユニットが実現される。
【０００９】
また、タップ部材を縦支柱又は横桟の内部に挿入しておくことで、縦支柱と横桟との接続が容易化され、これにより、ユニット化することで安全柵の生産性と運搬性が高められ、製造及び設置に伴う全体のコストが大幅に低減される。
【発明を実施するための最良の形態】
【００１０】
以下、本発明の実施の形態について、図面を参照しながら説明する。
図１は、本実施の形態における安全柵の全体構成を示す斜視図である。本図に示される安全柵１は、設備の周囲を覆うための安全柵であって、床面に支持される左右両端の２本の縦支柱１０１ａ及び１０１ｂの間に上下２本の横桟１０２ａ及び１０２ｂが渡されて固定されるとともに、縦支柱１０１ａ及び１０１ｂそれぞれの下端には、床面上に設置するための脚部１０３ａ及び１０３ｂが取り付けられている。縦支柱１０１ａ及び１０１ｂ及び横桟１０２ａ及び１０２ｂは、鋼板等の板材を折り曲げて作製される。
【００１１】
上下２本の横桟１０２ａ及び１０２ｂの間には、縦桟１０４が渡されている。縦桟１０４は、図１には図示されていない、つば部材を介して横桟１０２ａ及び１０２ｂに設けられた穴に嵌め込まれている。
【００１２】
図２は、上下２本の横桟１０２ａ及び１０２ｂ同士の固定について説明するための斜視図である。横桟１０２ａ及び１０２ｂ同士の固定には、図２に示される横桟固定部材１０７ａ及びタップ部材４０１ａ及び４０１ｂが用いられる。
【００１３】
ここで、横桟固定部材は、図１に示されるように、横桟１０２ａ及び１０２ｂの逆側端部にも用いられており（横桟固定部材１０７ｂとして示されており）、図２と同様の構成で上下２本の横桟１０２ａ及び１０２ｂ同士の位置関係を固定している。
【００１４】
また、タップ部材は、図２には図示されていないが、横桟１０２ａ及び１０２ｂの逆側端部にもそれぞれ挿入固定されている。即ち、本実施の形態では、合計４個のタップ部材が用いられている。なお、本明細書では、それら４個のタップ部材を区別する必要がない場合には、以下、単に「タップ部材４０１」という。タップ部材４０１は、横桟固定部材１０７ａ及び１０７ｂと上下２本の横桟１０２ａ及び１０２ｂのそれぞれとをネジ止め固定する際のナットとして機能する他、後述するように、縦支柱ユニットに固定された横桟取り付け部材と横桟１０２ａ及び１０２ｂとの間のネジ止め固定に際してもナットとして機能する。
【００１５】
図２に示されるように、本実施の形態の横桟固定部材１０７ａ及び１０７ｂは、上下２本の横桟１０２ａ及び１０２ｂの向かい合う側面の端部と縦支柱１０１ａの側面とに接するコの字状に曲げられた板部材であり、その両端部で、それぞれ横桟１０２ａ及び１０２ｂと固定される。横桟固定部材１０７ａ及び１０７ｂは、例えば、アルミや鋼板等の材料からなる板材を折り曲げて作製される。横桟固定部材１０７ａの両端部には、挿入穴１０７１ａ及び１０７２ａが空けられており、上下２本の横桟１０２ａ及び１０２ｂそれぞれに空けられた挿入穴（図２では、挿入穴１０２３ａのみ図示）を介して、タップ部材４０１ａ及び４０１ｂの設けられたタップ穴と、ネジ４０２ａ及び４０２ｂを用いてネジ止め固定される。ここで、タップ穴とは、当該穴の内側面に雌ネジが切られ、ネジ止めの際のナットとして機能する貫通孔である。
【００１６】
なお、横桟固定部材１０７ａの側面に設けられた穴１０７３ａは、この横桟固定部材１０７ａと縦支柱１０１ａとを固定するためのネジを通す挿入穴である。横桟固定部材１０７ａ及び１０７ｂと縦支柱１０１ａ及び１０１ｂとの固定に際しては、例えば縦支柱１０１ａ及び１０１ｂに挿入穴を空けるとともに、その挿入穴の内部に埋込ナット材を取り付け、ネジを用いてネジ止め固定することが考えられるが、両者の固定方法はこれに限定されないし、必ずしも両者を固定しなくてもよい。もっとも、両者を固定することで安全柵の補強の機能を持たせることができる。
【００１７】
なお、図２に示されるように、横桟１０２ｂ（横桟１０２ａも同様）は、普通鋼板ロールフォーミング材等の板材をＣ型に折り曲げて作製されており、断面がコの字状（Ｃ型材）であり、コの字が開方した側面には、プラスチック製の蓋部材１０２１ａ及び１０２１ｂが嵌合されている。
【００１８】
次に、タップ部材４０１の詳細について説明する。図３は、タップ部材４０１の一例について、より詳細に説明するための斜視図であり、図２に示された横桟１０２ａの逆側（向かって右端）の端部（タップ部材４０１ｃが挿入固定される部分）を、図２の裏面側から見たものである。
【００１９】
本実施の形態のタップ部材４０１（図３では、タップ部材４０１ｃ）は、アルミ等の材料からなる板材を折り曲げて作製される。板材の厚さは、例えば、１．５ｍｍから３ｍｍ程度であり、幅Ｘは、およそ２ｃｍ程度である。
【００２０】
タップ部材４０１は、断面が略コの字形の開方を少し開いた形状であり、その開方を押圧して横桟１０２ａ及び１０２ｂの内部に挿入された場合に、その形状的バネ性により、コの字が開く方向に付勢力を発生し、横桟１０２ａ及び１０２ｂの内壁に接するようにして固定される。つまり、タップ部材４０１は、先端側の間隔が縦支柱１０１ａ及び１０１ｂ又は横桟１０２ａ及び１０２ｂの内面よりも広がっていることで、縦支柱１０１ａ及び１０１ｂ又は横桟１０２ａ及び１０２ｂの内部に挿入されたときに自己の弾性により縦支柱１０１ａ及び１０１ｂ又は前記横桟１０２ａ及び１０２ｂの内面に押し当てられる。このタップ部材４０１には、２箇所にタップ穴４０１１及び４０１２が設けられている。なお、横桟１０２ａ及び１０２ｂの２つの側面には、タップ部材４０１が横桟１０２ａ及び１０２ｂの内部に挿入されたときのタップ穴４０１１及び４０１２に対応する位置に、それぞれ、ネジを貫通させるための挿入穴１０２３及び１０２４が設けられている。
【００２１】
図３では、タップ部材４０１のタップ穴４０１１を用いて、横桟固定部材１０７ｂと横桟１０２ａとを固定する様子が示されている。つまり、まず、タップ部材４０１ｃのタップ穴４０１１と、横桟１０２ａに空けられた挿入穴１０２３との位置が合うように、タップ部材４０１ｃを横桟１０２ａの内側に挿入して固定する（図中の矢印（１））。そして、ネジ４０２ｃを、横桟固定部材１０７ｂの挿入穴１０７１ｂと横桟１０２ａの挿入穴１０２３とを貫通させ、タップ部材４０１ｃのタップ穴４０１１にネジ止めして固定する（本図の矢印（２））。これにより、横桟固定部材１０７ｂと横桟１０２ａとが固定される。
【００２２】
なお、図３では、横桟１０２ａの一端についてだけ図示されているが、横桟１０２ａの逆側端部や、他の横桟１０２ｂについても同様の方法で、横桟と横桟固定部材とが固定される。
【００２３】
次に、縦支柱１０１ａ及び１０１ｂを含む縦支柱ユニットについて説明する。図４は、縦支柱ユニットについて説明するための斜視図であり、図１に示された縦支柱１０１ｂを含む縦支柱ユニットを、図１の裏面側から見た図である。以下では、縦支柱１０１ｂを含む縦支柱ユニットについて説明するが、縦支柱１０１ａを含む縦支柱ユニットについても同様である。
【００２４】
縦支柱１０１ｂは、普通鋼板ロールフォーミング材等の板材をＣ型に折り曲げて作製されており、図５（図４Ｂ−Ｂ線断面の端面矢視図）に示されるように、横桟１０２ａ及び１０２ｂと同様に、断面がコの字状（Ｃ型材）であり、コの字が開方した側面には、プラスチック製の蓋部材１０１１ｂが嵌合されている。
【００２５】
図４に戻って、縦支柱１０１ｂには、横桟取り付け部材１０５ｂ及び１０６ｂが、それぞれ、ブラインドリベット６０１及び６０２により溶接レスで固定される。横桟取り付け部材は、上下２本の横桟１０２ａ及び１０２ｂを縦支柱１０１ａ及び１０１ｂに固定するための部材である。より具体的には、横桟取り付け部材１０５ｂの挿入穴１０５２と、縦支柱１０１ｂに空けられた挿入穴１０１２との位置が合うように、横桟取り付け部材１０５ｂで縦支柱１０１ｂを覆い、外側からブラインドリベット６０１を挿入穴１０５２及び１０１２に貫通させて固定する。縦支柱１０１ｂの下部についても同様であり、横桟取り付け部材１０６ｂの挿入穴１０６２と、縦支柱１０１ｂに空けられた挿入穴１０１３との位置が合うように、横桟取り付け部材１０６ｂで縦支柱１０１ｂを挟み、外側からブラインドリベット６０２を挿入穴１０６２及び１０１３に貫通させて固定する。
【００２６】
このように構成された縦支柱ユニット２本と、上下２本の横桟１０２ａ及び１０２ｂとを含む枠体とは、工場出荷時に、別ユニットとして出荷され、運搬される。そして、安全柵１が使用される現場において、図３の矢印（３）に示されるように、横桟取り付け部材１０５ｂが横桟１０２ａを覆うようにして、横桟取り付け部材１０５ｂに空けられた挿入穴１０５１と、横桟１０２ａに空けられた挿入穴１０２４との位置を合わせ、外側からネジ４０３ｃを挿入穴１０５１及び１０２４に貫通させて、タップ部材４０１ｃに空けられたタップ穴４０１２にネジ止めして固定する（図３の矢印（４））。このような固定を、２本の縦支柱１０１ａ及び１０２ｂと２本の横桟１０２ａ及び１０２ｂで囲まれた枠体の四隅で行うことにより、容易に、かつ、堅固に、安全柵１を組み立てることができる。
【００２７】
次に、縦桟１０４の固定について説明する。図６は、つば部材を介して縦桟１０４が横桟１０２ａ及び１０２ｂに嵌め込まれる様子を示す斜視図である。本図に示されるように、横桟１０２ａ及び１０２ｂ（本図の例では横桟１０２ｂ）に空けられた挿入穴１０２２ｂに、つば部材２０２を介して縦桟１０４が挿入される。
【００２８】
つば部材２０２は、横桟１０２ａ及び１０２ｂに縦桟１０４を嵌め込んで固定するための部材であり、凹部を形成する胴部２０２ａ及び縦桟係止部２０２ｂと、つば部２０２ｃとを有する。
【００２９】
図７は、図６におけるＡ−Ａ線断面矢視図であり、つば部材２０２を介して縦桟１０４が横桟１０２ａ及び１０２ｂの挿入穴１０２２ｂ（図６参照）に挿入された状態を示している。つば部材２０２の縦桟係止部２０２ｂは、その胴部２０２ａから下方に向けて、その内径が小さくなる形状となっており、縦桟１０４が挿入された場合に、縦桟１０４の先端が胴部２０２ａと縦桟係止部２０２ｂとの境界部まで到達して固定される。なお、縦桟係止部２０２ｂの形状は、図示したような形状に限定されず、縦桟１０４の挿入を受けて縦桟１０４の先端が固定されるような形状であれば、任意の形状でよい。
【００３０】
このつば部材２０２は、上端に設けられたつば部２０２ｃにより、縦桟１０４が挿入された場合でも、挿入穴１０２２ｂにつば部材２０２が埋没してしまうことが防止される。
【００３１】
このようなつば部材２０２を用いることにより、横桟１０２ａ及び１０２ｂの材料として、普通鋼板ロールフォーミング材をＣ型に折り曲げたＣ型材を用い、プレノッチプレスにより挿入穴１０２２ｂを空けた場合でも、縦桟１０４を横桟１０２ａ及び１０２ｂに固定するのに、ネジ止めなどの作業が不要となり、製造工程が簡略化される。なお、各挿入穴を空けるに際して、フォーミングの前工程でのプレノッチプレスを用いることができるのは、横桟１０２ａ及び１０２ｂ、縦支柱１０１ａ及び１０１ｂのいずれの挿入穴についても同様であり、製造コストが低減される。
【００３２】
以上に説明したように、本実施の形態に係る安全柵は、縦支柱や横桟の作製に、押し出し加工や引き抜き加工などの複雑な手法を用いる必要がなく、板材を折り曲げて作製できるので、安価に製造できる。また、工場から出荷する時には、２本の横桟を横桟固定部材で固定した枠体である横桟ユニットと、縦支柱に脚部と横桟取り付け部材とを固定した縦支柱ユニットとに分離した状態にしておき、分離した状態で横桟ユニットと縦支柱ユニットとを出荷して運搬し、現地にて、両ユニットをネジ止め等によって固定することができる。
【００３３】
これによって、かさばらないように横桟ユニットと縦支柱ユニットとを重ねた状態で運搬し、安全柵の使用現場において、容易に安全柵を組み立てることができる。また、板材を折り曲げて横桟を作製するようにしたことで、横桟の切断、横桟への穴あけ等の作業を現地で追加工することができ、安全柵が使用される現地レイアウトに柔軟に対応することもできる。
【００３４】
以上、本発明の実施の形態について説明したが、本発明の内容が上記実施の形態において説明された具体例によって限定されないことは勿論であり、例えば、以下のような変形例も考えられる。
【００３５】
たとえば、上記実施の形態では、縦支柱１０１ａ及び１０１ｂ及び横桟１０２ａ及び１０２ｂを、板材をＣ型に折り曲げて作製し、開方は例えばプラスチックの蓋部材１０１１ｂ（図５参照）及び１０２１ａ等（図２参照）で覆う構成とした。ここで、図８に示されるように、蓋部材１０１１ａ等の端部を短くして開口部９０１及び９０２等を設けることで、縦支柱１０１ａ及び１０１ｂや横桟１０２ａ及び１０２ｂの内部にケーブル等を配線することが可能になる。なお、本図に示されるように、縦支柱１０１ａ及び１０１ｂの側面に挿入穴９０３を空け、内部にナット材９０４を埋め込む構成とすると、縦支柱１０１ａ及び１０１ｂに他の機能部品（例えば、チョウバン等）を固定することができる。
【００３６】
また、上記実施の形態では、縦支柱１０１ａ及び１０１ｂと横桟１０２ａ及び１０２ｂとの固定に、横桟取り付け部材１０５ａ及び１０５ｂを用いたが、横桟取り付け部材を用いない形態も可能である。例えば、図９に一例が示されるように、横桟１０２の端部が縦支柱１０１の側面に挟まれるように、横桟１０２の端部を縦支柱１０１の内側に挿入し、ネジ８０２ａ及び８０２ｂを、それぞれ、縦支柱１０１の側面に設けられた挿入穴１０１８ａ及び１０１８ｂに貫通させて、タップ部材４０１に空けられたタップ穴８０３ａ及び８０３ｂにネジ止めして固定する。
【００３７】
また、上記実施の形態では、横桟１０２ａ及び１０２ｂの内部にタップ部材４０１を挿入して固定する構成としたが、タップ部材は縦支柱１０１ａ及び１０１ｂ側の内部に挿入して固定してもよい。この場合には、上記実施の形態における横桟取り付け部材に相当する部材を横桟１０２ａ及び１０２ｂ側に固定したり、あるいは、図９に示される例における縦支柱と横桟の構造を入れ換えた場合のように、縦支柱１０１ａ及び１０１ｂの端部が横桟１０２ａ及び１０２ｂの側面に挟まれるような構成にしたりすればよい。
【００３８】
また、上記実施の形態では、横桟１０２ａ及び１０２ｂと縦桟１０４との間につば部材２０２を介する構成とした。この構成では、板材を折り曲げて横桟１０２ａ及び１０２ｂを作製する前に、挿入穴１０２２ｂ（図６参照）を空けることができ、横桟１０２ａ及び１０２ｂへの穴あけ工程が簡略化される長所があるが、つば部材２０２を用いない構成、又は、縦桟１０４自体につばを設けるような構成でもよい。
【００３９】
また、上記実施の形態では、タップ部材４０１として、板材を折り曲げて作製した断面が略コの字形の開方を少し開いた形状の部材を使用し、その形状的バネ性により付勢力が働く構造としたが、タップ部材の実施の形態はこれに限定されず、例えば、弾性を有する材料を用いてもよい。
【産業上の利用可能性】
【００４０】
本発明は、設備の周囲を覆うための安全柵として、例えば、むやみに人が立ち入るべきでない場所に人が立ち入ることを防止するために置設される安全柵及び安全柵ユニットとして、利用することができる。
【図面の簡単な説明】
【００４１】
【図１】安全柵の全体構成を示す斜視図
【図２】横桟同士の固定について説明するための斜視図
【図３】タップ部材の一例について、より詳細に説明するための斜視図
【図４】縦支柱ユニットについて説明するための斜視図
【図５】図４におけるＢ−Ｂ線断面の端面矢視図
【図６】つば部材を介する縦桟の横桟への嵌め込みについて説明するための斜視図
【図７】図６におけるＡ−Ａ線断面矢視図
【図８】本発明の変形例について説明するための図
【図９】本発明の他の変形例における縦支柱と横桟との位置関係の固定について説明するための図
【符号の説明】
【００４２】
１                                安全柵
１０１ａ、１０１ｂ                縦支柱
１０１１ｂ                        蓋部材
１０１２、１０１３                挿入穴
１０１８ａ、１０１８ｂ            挿入穴
１０２ａ、１０２ｂ                横桟
１０２１ａ、１０２１ｂ            蓋部材
１０２２ｂ                        挿入穴
１０２３ａ                        挿入穴
１０２３、１０２４                挿入穴
１０３ａ、１０３ｂ                脚部
１０４                            縦桟
１０５ａ、１０５ｂ                横桟取り付け部材
１０５１、１０５２                挿入穴
１０６ａ、１０６ｂ                横桟取り付け部材
１０６１、１０６２                挿入穴
１０７ａ、１０７ｂ                横桟固定部材
１０７１ａ、１０７２ａ            挿入穴
１０７１ｂ                        挿入穴
１０７３ａ                        挿入穴
２０２                            つば部材
２０２ａ                          胴部
２０２ｂ                          縦桟係止部
２０２ｃ                          つば部
４０１                            タップ部材
４０１ａ、４０２ｂ、４０１ｃ      タップ部材
４０１１、４０１２                タップ穴（ネジ穴）
４０２ａ、４０２ｂ                ネジ
４０２ｃ、４０３ｃ                ネジ
６０１、６０２                    ブラインドリベット
８０１、８０２ａ、８０２ｂ        ネジ
８０３ａ、８０３ｂ                タップ穴（ネジ穴）
９０１、９０２                    開口部
９０３                            挿入穴
９０４                            埋込ナット材
【図１】
2010007392.tif 000003
【図２】
2010007392.tif 000004
【図３】
2010007392.tif 000005
【図４】
2010007392.tif 000006
【図５】
2010007392.tif 000007
【図６】
2010007392.tif 000008
【図７】
2010007392.tif 000009
【図８】
2010007392.tif 000010
【図９】
2010007392.tif 000011